(57)【特許請求の範囲】
【請求項１】
用紙幅方向移動自在かつ初期位置に復帰可能に付勢支持された上記給紙台（２０）と、上記給紙台（２０）の上記用紙幅方向に対向するように略垂直向きに立設されたガイド板（５２）とを備え、上記ガイド板（５２）で幅を揃えて上記給紙台（２０）上に積み重ねた用紙を１枚ずつ分離して送り出す給紙装置（１０）において、
上記ガイド板（５２）は、上記給紙台（２０）の少なくとも上下一方でその上部又は下部が装置本体に支持され、上記給紙台（２０）と干渉することなく用紙幅方向に移動自在に構成され、
上記ガイド板（５２）により用紙を用紙幅方向に移動させる際に、上記用紙と給紙台（２０）との間の摩擦によって、上記給紙台が上記用紙と一体的に移動可能に構成されていることを特徴とする、給紙装置。
【請求項２】
上記ガイド板（５２）は、用紙送り方向に配列して複数組設けられ、
上記給紙台（２０）は、用紙幅方向両側に上記複数枚のガイド板（５２）と遊嵌する櫛歯上の貫通溝が設けられていることを特徴とする、請求項１に記載の給紙装置。
【請求項３】
上記給紙台は、上記用紙幅方向に配列された複数のローラー上に配置され、
上記用紙幅方向に対向するように配置された複数のバネの均衡により、上記初期位置に付勢支持されていることを特徴とする、請求項１又は２に記載の給紙装置。
【発明の詳細な説明】
【０００１】
【発明の属する技術分野】
本発明は、給紙装置に関する。
【０００２】
【従来の技術】
従来、輪転孔版印刷機には、たとえば図１に要部を示した給紙装置１を備え、用紙に対する印刷位置を調整できるようにしたタイプのものがある。この給紙装置１の給紙台３は、装置本体２に摺動自在に支持され、ねじ機構５，６を用いて、幅ガイド板４を含め給紙台３を一体的に移動させるようになっている。給紙台３を用紙幅方向Ｓに移動すると、給紙リング８が版胴側に送る用紙の幅方向位置が変わるので、用紙に対する印刷の位置を変えることができる。
【０００３】
ところで、この給紙装置１の給紙台３には、従来は、せいぜい１０００枚程度の用紙が載置されるにすぎず、用紙はあまり重くならないので、上記のように給紙台３が一体的に移動するように構成することは、比較的容易であった。
【０００４】
しかし、近年、輪転孔版印刷機では、大量の用紙を一度に補給できる機種の開発要請があり、これに応えるには、大量の用紙（たとえば３０００枚）を一度に給紙台に載置できるようにする必要がある。その場合、従来のように、幅ガイドを含め給紙台を一体的に移動するように構成すると、用紙の積み上げ高さが高くなるために幅ガイドは高くなり、用紙をしっかりガイドできるようにすると装置が全体的に大きくなる。また、用紙が重くなるので、給紙台の支持機構やねじ送り機構も、大型化したり複雑化する。
【０００５】
【発明が解決しようとする課題】
したがって、本発明が解決しようとする技術的課題は、簡単な構成で、用紙の幅方向位置を調整できる給紙装置を提供することである。
【０００６】
【課題を解決するための手段】
本発明は、上記技術的課題を解決するために、給紙台の少なくとも一部を用紙幅方向に移動自在とし、ガイド板により用紙を給紙台と一体的に用紙幅方向に移動させることができることを本質的特徴とする給紙装置を提供する。具体的には、以下のように構成する。
【０００７】
給紙装置は、用紙幅方向移動自在かつ初期位置に復帰可能に付勢支持された上記給紙台と、上記給紙台の上記用紙幅方向に対向するように略垂直向きに立設されたガイド板とを備え、上記ガイド板で幅を揃えて上記給紙台上に積み重ねた用紙を１枚ずつ分離して送り出すタイプのものである。上記ガイド板は、上記給紙台の少なくとも上下一方でその上部又は下部が装置本体に支持され、上記給紙台と干渉することなく用紙幅方向に移動自在に構成され、上記ガイド板により用紙を用紙幅方向に移動させる際に、上記用紙と給紙台との間の摩擦によって、上記給紙台が上記用紙と一体的に移動可能に構成されている。
【０００８】
上記構成において、用紙は、ガイド板で幅を揃えて給紙台上に積み重ねる。ガイド板は、給紙台に干渉することなく用紙幅方向に移動できる。用紙の幅方向（用紙送り出し方向とは直角方向）の位置を調整するときには、ガイド板を用紙幅方向に移動する。詳しくは、用紙の片側にあるガイド板を用紙から退避する方向に移動する一方、反対側のガイド板を用紙を押す方向に移動する。このとき、用紙がある程度重ければ、用紙との摩擦力によって、給紙台の少なくとも一部（以下、「移動部」ともいう）は、用紙と一緒に用紙幅方向に移動する。用紙が軽ければ、用紙は給紙台上を滑り、用紙だけ移動し、給紙台の移動部は静止したままである。いずれにせよ、ガイド板で用紙を幅方向に移動することができる。
【０００９】
したがって、簡単な構成で、用紙の幅方向位置を調整できる。
【００１０】
好ましくは、上記ガイド板は、用紙送り方向に配列して複数組設けられ、上記給紙台は、用紙幅方向両側に上記複数枚のガイド板と遊嵌する櫛歯上の貫通溝が設けられている。また、好ましくは、上記給紙台は、上記用紙幅方向に配列された複数のローラー上に配置され、上記用紙幅方向に対向するように配置された複数のバネの均衡により、上記初期位置に付勢支持されている。
【００１１】
たとえば、移動自在に支持された上記給紙台の少なくとも一部を、用紙幅方向に互いに反対方向に弾力的に付勢する一対の付勢部材を備えるように構成すれば、給紙台に用紙がないときには、給紙台の少なくとも一部、すなわち移動部は、一対の付勢部材による互いに反対方向の付勢力がバランスする中立位置が初期位置となる。給紙台の移動部が中立位置から用紙幅方向にどちら側に移動しても、付勢部材の一方の付勢力は大きくなり、他方の付勢力は小さくなり、一対の付勢部材は、全体として給紙台の移動部を移動方向とは反対方向に付勢する。つまり、給紙台の移動部には、中立位置に復帰させる付勢力が作用する。
【００１２】
上記構成によれば、給紙台に用紙を載置し、ガイド板で用紙を移動するとき、用紙が十分にあり、その重みにより用紙と給紙台の移動部との間の摩擦力が、付勢部材による付勢力に打ち勝つと、給紙台の移動部は用紙とともに移動する。一方、用紙が少なく、用紙と給紙台の移動部との間の摩擦力が、付勢部材による付勢力に負けると、用紙と給紙台の移動部との間には滑りが生じ、用紙の位置はそのままで、給紙台の移動部だけが中立位置に戻る。
【００１３】
したがって、用紙が少なくなったり無くなった場合に、給紙台の移動部は初期位置に自動的に復帰するので、十分な幅調整範囲を確保でき、操作上、便利である。
【００１４】
なお、給紙台の移動部を弾力的に付勢して初期位置に復帰させる代わりに、給紙台の移動部の自重を利用することも可能である。たとえば図１０に示したように、給紙台の移動部１００に設けた山型の案内凹部１０２が装置本体の固定部１１０に摺接するように構成すると、付勢力Ｆを加えれば点線で示したように移動部１００は用紙幅方向に移動するが、付勢力Ｆが無くなれば、移動部１００は実線で示したように自重Ｗによって初期位置に復帰するようにすることができる。
【００１５】
また、給紙台の移動部は、初期位置から用紙幅方向両側に移動可能な構成とする代わりに、初期位置から用紙方向片側だけに移動可能な構成としてもよい。
【００１６】
好ましくは、上記ガイド板は上記給紙台の上下両側でその上部および下部が用紙幅方向移動自在に装置本体に支持される。
【００１７】
上記構成によれば、ガイド板は、装置の上下で両端支持されるので、大量の用紙に対応すべくガイド板の上下寸法を大きくする場合でも、従来の装置のように給紙台に片持ち支持する構成に比べ、簡単な構成でたわみを少なくし、用紙をしっかりと安定してガイドすることができる。特に、大容量の給紙装置では、大量の用紙を給紙台とともに移動するときにガイド板には大きな負荷がかかるので、ガイド板を両端支持する上記構成は好適である。
【００１８】
【発明の実施の形態】
以下、本発明の一実施形態に係る給紙装置について、図２〜図９を参照しながら説明する。図２は、本発明の一実施形態に係る給紙装置を用いた輪転孔版印刷機の斜視図である。図３は、給紙装置の要部拡大斜視図である。図４は、給紙装置の主給紙台の分解斜視図である。図５は、主給紙台の断面図である。図６は、補助給紙台の分解斜視図である。図７は、補助給紙台の断面図である。図８は、給紙装置の上部構成図である。図９は、給紙台昇降機構の構成図である。
【００１９】
図２に示すように、給紙装置１０は、輪転孔版印刷機Ｐの本体の片側に備えられる。給紙装置１０は、大量の用紙（たとえば３０００枚）を載置できる給紙台２０と、給紙台２０に載置した用紙の幅を揃える一対の幅ガイド５０とを有する。給紙台２０は、後述する給紙台昇降機構７０によって昇降するようになっている。給紙台２０は、用紙の消費に伴って自動的に上昇し、載置された用紙の一番上の用紙が給紙リング１２に常に接するようになっている。詳しくは、給紙リング１２は上下方向移動可能に固定されており、給紙リング１２に給紙台２０上の用紙が当接し給紙リング１２が持ち上げられると、それをセンサで検知して、給紙台２０の上昇を停止するようになっている。給紙リング１２が回転すると、給紙台２０の一番上の用紙は、印刷機本体内の版胴とプレスローラとの間に１枚ずつ給紙され、印刷された後、給紙装置２０とは反対側に設けた不図示の紙受け台に順に重ねられるようになっている。給紙台３０に設けた用紙検出センサ２８で、給紙台２０上の用紙が無くなったことを検出すると、動作を停止する。
【００２０】
給紙台２０は、装置の奥から順に、主給紙台３０、固定部２２、補助給紙台４０とからなる。補助給紙台４０は、装置本体から突出している。主給紙台３０および補助給紙台４０は、後述するように、その移動部３１，４１が用紙幅方向Ｓにスライドするようになっている。
【００２１】
一対の幅ガイド５０は、間隔を設けて用紙送り方向（用紙幅方向Ｓとは直角の方向）に配列された複数枚のガイド板５２を有する。図３に示すように、給紙台２０の主給紙台３０の用紙幅方向両側には櫛歯状の貫通溝３１ｂが形成され、ガイド板５２と遊嵌するようになっている。左右の幅ガイド５０は、操作ダイヤル５８によって、用紙幅方向Ｓにそれぞれ独立して移動することができるようになっている。
【００２２】
次に、給紙台２０の主給紙台３０の構成について、図４および図５を参照しながら説明する。
【００２３】
主給紙台３０は、大略、給紙台２０の基部に固定され用紙幅方向Ｓに延在する３列の支持部３２，３３と、これらの支持部３２，３３を上方から覆って噛合う移動部３１とからなる。
【００２４】
詳しくは、各支持部３２，３３は、大略、周囲を囲む４つの側壁と、装置本体に固定される底壁とを有し、上方が開口している。両側の支持部３３は、それぞれ３つの支持ローラ３８を有し、中央の支持部３２は、その中央に１つの支持ローラ３８を有する。各支持ローラ３８は、用紙幅方向Ｓに延在する側壁間に両端が固定され用紙送り方向に延在する支持軸３２ａ，３３ａによって、回転自在に支持され、その一部が各支持部３２、３３の開口から上方に突出し、移動部３１に当接するようになっている。これによって、移動部３１は、支持ローラ３８によって下方から支持され、用紙幅方向Ｓにスライドできるようになっている。
【００２５】
中央の支持部３２は、用紙幅方向Ｓの両側に、係合ピン３６と固定ピン３２ｂと引っ張りばね３４と有する。係合ピン３６は、支持部３２の側壁に形成した長穴３２ｃにより、用紙幅方向Ｓに移動自在に支持される。固定ピン３２ｂは、係合ピン３６よりも外側において、側壁に固定される。引っ張りばね３４は、その両端が係合ピン３６と固定ピン３２ｂとにそれぞれ係止し、係合ピン３６を外側に引っ張るようになっている。各係合ピン３６の端部３６ａは、側壁から突出し、移動部３１の下面に突設した一対の係止部３１ａにそれぞれ係止するようになっている。一対の係止部３１ａは、それぞれ引っ張りばね３４で互いに反対方向に引っ張られ、各係合ピン３６が長穴３２ｃの略中央に位置するときに、左右の引っ張り力がバランスするようになっている。そして、移動部３１は、中立位置から用紙幅方向Ｓのどちら側にスライドしても、左右の引っ張りばね３４の引っ張り力のバランスがくずれ、中立位置に自動的に復帰するようになっている。
【００２６】
次に、給紙台２０の補助給紙台４０の構成について、図６および図７を参照しながら説明する。
【００２７】
補助給紙台４０は、大略、支持部４２と、支持部４２を上方から覆う移動部４１とを備えた箱状の部材である。
【００２８】
支持部４２は、上方が開口した矩形本体の給紙リング１２側が給紙台２０の基部に固定されている。矩形本体の内部には、用紙幅方向Ｓに延在する２対の側壁によりそれぞれ支持された４つの支持ローラ４８を有する。各支持ローラ４８は、主給紙台３０と同様に、側壁間に両端が固定され用紙送り方向に延在する支持軸４２ａによって、回転自在に支持され、その一部が支持部４２の開口から上方に突出し、移動部４１の下面に当接するようになっている。これによって、移動部４１は、支持ローラ４８によって下方から支持され、用紙幅方向Ｓにスライドできるようになっている。
【００２９】
２対の側壁のそれぞれの中央には、１つの係合ピン４６と、２つの固定ピン４２ｂと、２つの引っ張りばね４４とが配置されている。係合ピン４６は、側壁中央に形成した長穴４２ｃにより、用紙幅方向Ｓに移動自在に支持される。係合ピン４６の両側には、固定ピン４２ｂが側壁に固定されている。左右の引っ張りばね４４は、その両端が係合ピン４６と固定ピン４２ｂとにそれぞれ係止し、係合ピン４６をそれぞれ反対方向に引っ張り合うようになっている。各係合ピン４６の端部４６ｂは、側壁から突出し、移動部４１の下面に突設した係止部４１ａに係止するようになっている。移動部４１は、用紙幅方向のどちら側にスライドしても、左右の引っ張り力のバランスがくずれ、中立位置に自動的に復帰するようになっている。
【００３０】
幅ガイド５０は、用紙送り方向に配列されたガイド板５２の上下両端が、用紙幅方向移動自在に支持されている。
【００３１】
詳しくは、各ガイド板５２の上下両端は、それぞれガイド板連結部５１に結合されている。給紙装置１０の上部には、図８に示すように、用紙幅方向Ｓに互いに平行に延在する一対のガイドバー１４，１６が設けられ、ガイド板連結部５１に設けた摺接部５４にガイドバー１４，１６が挿通され、摺接するようになっている。給紙装置１０の下部も同様に構成されている。これによって、一対の幅ガイド５０は、用紙幅方向移動自在に両端支持され、給紙台２０に垂直に平行移動することができるようになっている。
【００３２】
装置１０の上部には、さらに、幅ガイド５０を移動するためのガイド駆動機構が設けられている。詳しくは、ガイド板連結部５１には、ベルト固定部５６が設けられ、ガイド駆動ベルト８８の一部に結合されるようになっている。ガイド駆動ベルト８８は、歯付きベルトであり、用紙幅方向Ｓに並べた歯車８３，８４に掛けられている。さらに、歯付きベルトである伝達ベルト８６が、一対の歯車８３、８４の一方８３と同軸に設けた歯車８２と、操作ダイヤル５８と同軸に設けた歯車８０との間に掛けられている。そして、たとえば矢印９０ａ，９２ａ；９０ｂ，９２ｂで示すように、操作ダイヤル５８を回転すると、伝達ベルト８６を介してガイド駆動ベルト８８が移動し、ガイド板連結部５１は、たとえば点線で示したように、ガイド駆動ベルト８８とともにガイドバー１４，１６に沿って移動する。これによって、幅ガイド５０は用紙幅方向Ｓに移動する。
【００３３】
次に、紙受台２０を昇降する給紙台昇降機構７０について、図９を参照しながら説明する。
【００３４】
給紙台昇降機構７０は、モータ６０と、チェーン６７と、スプロケット６５，６６と、ばね６８とを備える。チェーン６７は、一端が紙受台２０に固定され、紙受台２０から上方に延在し、紙受台２０の上限位置より上方に設けた案内スプロケット６６に噛み合って下方に延在し、下部に設けた駆動スプロケット６５に噛み合い、他端が、ばね６８によって常に上方に引っ張られるようになっている。駆動スプロケット６５が減速機構（ウォームギヤ６２およびウォームホイール６４）を介してモータ６０で回転されると、チェーン６７の一端は上昇または下降し、これによって、紙受台２０は昇降する。
【００３５】
次に、紙受台２０の動作について説明する。
【００３６】
調整ダイヤル５８を回転して一対の幅ガイド５０の位置を用紙幅に合わせ、給紙台２０に用紙を載置する。印刷機Ｐのプリントスタート釦（図示せず）を押すと、給紙台２０の一番上の用紙が給紙リング１２を少し持ち上げる位置まで、給紙台２０が上昇する。そして、適宜タイミングで給紙リング１２が回転し、給紙台２０から用紙が１枚ずつ送り出され、印刷機Ｐの内部で印刷される。
【００３７】
用紙に対して印刷位置がずれている場合には、操作ダイヤル５８を操作して、いずれか一方の幅ガイド５０を用紙から退避させ、他方の幅ガイド５０で用紙を押して、用紙全体を幅方向Ｓに移動する。これによって、版胴に対する用紙の幅方向位置が変わり、印刷位置を調整することができる。
【００３８】
このように幅ガイド５０で用紙を移動するとき、給紙台２０に積み重ねた用紙がある程度重ければ、給紙台２０の主給紙台３０では、用紙と移動部３１との間の摩擦力が、引っ張りばね３４による付勢力に打ち勝ち、移動部３１は用紙と一緒に一体的に用紙幅方向Ｓに移動する。一方、用紙が軽く、用紙と移動部３１との間の摩擦力が小さければ、用紙は移動部３１上を滑り、用紙だけが幅ガイド５０に押されて移動し、移動部３１は静止したままである。いずれにせよ、幅ガイド５０で用紙を幅方向に移動することができる。
【００３９】
幅ガイド５０に押された用紙と一体的に移動部３１が移動すると、移動部３１は中立位置からずれるので、引っ張りばね３４によって移動方向とは反対側の付勢力を受ける。給紙台２０の用紙が減り、用紙と移動部３１との間の摩擦力が小さくなると、引っ張りばね３４による付勢力が用紙と移動部３１との間の摩擦力に打ち勝ち、移動部３１を付勢し、中立位置に復帰させる。用紙を押している幅ガイド５０を用紙から退避させた場合にも、給紙台の移動部３１は、同様に中立位置に復帰する。
【００４０】
用紙サイズが大きい場合には、補助給紙台４０にも用紙が積み重ねられ、補助給紙台４０の移動部４１も上記と同様に動作する。
【００４１】
以上説明したように、給紙装置１０は、簡単な構成で、用紙の幅方向位置を調整できる。
【００４２】
なお、本発明は、上記実施形態に限定されるものではなく、その他種々の態様で実施可能である。たとえば、本発明は、輪転孔版印刷機に限らず、種々の分野の給紙装置に広く適用可能である。また、本発明は、大容量タイプの給紙装置に特に好適であるが、それに適用を限るものではない。
【図面の簡単な説明】
【図１】  従来例の給紙装置の要部正面図である。
【図２】  本発明の一実施形態に係る給紙装置を用いた輪転孔版印刷機の斜視図である。
【図３】  図２の給紙装置の要部拡大斜視図である。
【図４】  図２の給紙装置の主給紙台の分解斜視図
【図５】  図４の主給紙台の断面図である。
【図６】  図２の給紙装置の補助給紙台の分解斜視図である。
【図７】  図６の補助給紙台の断面図である。
【図８】  図２の給紙装置の上部構成図である。
【図９】  図２の給紙台昇降機構の構成図である。
【図１０】  変形例の要部構成図である。
【符号の説明】
１０  給紙装置
１２  給紙リング
１４，１６  ガイドバー
２０  給紙台
２２  固定部
２８  用紙検出スイッチ
３０  主給紙台
３１  移動部
３１ａ  係止部
３１ｂ  貫通溝
３２  支持部
３２ａ  支持軸
３２ｂ  固定ピン
３２ｃ  長穴
３３  支持部
３３ａ  支持軸
３４  引っ張りばね
３６  係合ピン
３６ａ  端部
３８  支持ローラ
４０  補助給紙台
４１  移動部
４２  支持部
４１ａ  係止部
４２ａ  支持軸
４２ｂ  固定ピン
４２ｃ  長穴
４４  引っ張りばね
４６  係合ピン
４６ｂ  端部
５０  幅ガイド
５１  ガイド板連結部
５２  ガイド板
５４  摺接部
５６  ベルト固定部
５８  操作ダイヤル
６０  モータ
６２  ウォームギヤ
６４  ウォームホイール
６５  駆動スプロケット
６６  案内スプロケット
６７  チェーン
６８  ばね
７０  給紙台昇降機構
８０，８２，８３，８４  歯車
８６  伝達ベルト
８８  ガイド駆動ベルト
Ｐ  輪転孔版印刷機
Ｓ  用紙幅方向
【図１】
0004028933.tif 000002
【図２】
0004028933.tif 000003
【図３】
0004028933.tif 000004
【図４】
0004028933.tif 000005
【図５】
0004028933.tif 000006
【図６】
0004028933.tif 000007
【図７】
0004028933.tif 000008
【図８】
0004028933.tif 000009
【図９】
0004028933.tif 000010
【図１０】
0004028933.tif 000011